【誤訳訂正書】
【提出日】平成28年7月8日(2016.7.8)
【誤訳訂正１】
【訂正対象書類名】明細書
【訂正対象項目名】００２０
【訂正方法】変更
【訂正の内容】
【００２０】
「多孔質無機／有機ハイブリッド材料」などにおいて使用される用語「ハイブリッド」は、有機官能性が内部構造または「骨格」無機構造と、ハイブリッド材料表面との両方と一体となっている無機系構造を含む。ハイブリッド材料の無機部分は、たとえばアルミナ、シリカ、酸化チタンもしくは酸化ジルコニウム、もしくはセラミック材料であってよい。好ましい一実施形態においては、ハイブリッド材料の無機部分はシリカである。
【誤訳訂正２】
【訂正対象書類名】特許請求の範囲
【訂正対象項目名】全文
【訂正方法】変更
【訂正の内容】
【特許請求の範囲】
【請求項１】
（ａ）孔再構成テンプレートを準備する工程と；
（ｂ）多孔質ハイブリッド無機／有機粒子またはモノリスの孔を、孔再構成テンプレートと接触させることで、前記孔を秩序領域に再構成させることによって、前記多孔質ハイブリッド無機／有機粒子またはモノリスの前記孔を再構成させる工程と；および
（ｃ）前記孔再構成テンプレートを前記再構成された孔から除去する工程と
を含む方法によって調製された、秩序領域を含み、クロマトグラフィー的に向上した孔形状を有する多孔質ハイブリッド無機／有機粒子またはモノリスであって、該多孔質ハイブリッド無機／有機粒子またはモノリスは、有機官能性が内部構造または骨格無機構造と、該ハイブリッド粒子またはモノリス表面との両方と一体となっている無機系構造を含み、該秩序領域は、Ｘ線粉末回折（ＸＲＰＤ）で測定して０．８から２０°スキャン範囲（ｘ軸、２θ単位）に回折ピークを示し、多孔質無機／有機ハイブリッド粒子またはモノリス中に見られる領域であり、
３４Å未満の直径の孔が、該粒子またはモノリスの比表面積の１１０ｍ２／ｇ未満に寄与し、該粒子またはモノリスについて観察される最大回折ピークが、非晶質材料による原子範囲秩序によって得られる２０°〜２３°の回折ピークを排除した２θ位置を示し、
該粒子またはモノリスは、０．２５から１．５ｃｍ３／ｇの比孔容積および５０から５００Åの平均孔径を有する
粒子またはモノリス。
【請求項２】
以下の式Ｉ、ＩＩ、またはＩＩＩを有する秩序領域を含む、多孔質ハイブリッド無機／有機粒子またはモノリス：
（Ａ）ｘ（Ｂ）ｙ（Ｃ）ｚ（式Ｉ）
（式中、繰り返し単位Ａ、Ｂ、およびＣの順序は、ランダム、ブロック、またはランダムとブロックとの組み合わせであってよく；
Ａが、
【化１】
2013210382.tif 000001
（式中、各Ｒは独立して、ＨまたはＣ１−Ｃ１０アルキル基であり；ｍは１から２０の整数であり；ｎは０から１０の整数であり；およびＱは、水素、Ｎ（Ｃ１‐６アルキル）３、Ｎ（Ｃ１‐６アルキル）２（Ｃ１‐６アルキレン−ＳＯ３）、またはＣ（Ｃ１‐６ヒドロキシアルキル）３である）からなる群から選択され、
Ｂが、
【化２】
2013210382.tif 000002
からなる群より選択され、
Ｃが
【化３】
2013210382.tif 000003
であり；および
ｘ、ｙは正の数であり、およびｚは負でない数であり、ｚ＝０である場合、０．００２≦ｘ／ｙ≦２１０であり、およびｚ≠０である場合、０．０００３≦ｙ／ｚ≦５００および０．００２≦ｘ／（ｙ＋ｚ）≦２１０である）；
（Ａ）ｘ（Ｂ）ｙ（Ｂ＊）ｙ＊（Ｃ）ｚ（式ＩＩ）
（式中、繰り返し単位Ａ、Ｂ、Ｂ＊、およびＣの順序は、ランダム、ブロック、またはランダムとブロックとの組み合わせであってよく；
Ａが、
【化４】
2013210382.tif 000004
（式中、各Ｒは独立して、ＨまたはＣ１−Ｃ１０アルキル基であり；ｍは１から２０の整数であり；ｎは０から１０の整数であり；およびＱは、水素、Ｎ（Ｃ１‐６アルキル）３、Ｎ（Ｃ１‐６アルキル）２（Ｃ１‐６アルキレン−ＳＯ３）、またはＣ（Ｃ１‐６ヒドロキシアルキル）３である）からなる群から選択され、
Ｂが、
【化５】
2013210382.tif 000005
からなる群より選択され、
Ｂ＊が、
【化６】
2013210382.tif 000006
からなる群より選択され、
Ｃが
【化７】
2013210382.tif 000007
であり、；および
ｘ、ｙは正の数であり、およびｚは負でない数であり、ｚ＝０である場合、０．００２≦ｘ／（ｙ＋ｙ＊）≦２１０であり、およびｚ≠０である場合、０．０００３≦（ｙ＋ｙ＊）／ｚ≦５００および０．００２≦ｘ／（ｙ＋ｙ＊＋ｚ）≦２１０である）；または
［Ａ］ｙ［Ｂ］ｘ（式ＩＩＩ）
（式中、ｘおよびｙは自然数整数であり、およびＡは、
ＳｉＯ２／（Ｒ１ｐＲ２ｑＳｉＯｔ）ｎまたはＳｉＯ２／［Ｒ３（Ｒ１ｒＳｉＯｔ）ｍ］ｎ
であり；
式中、Ｒ１およびＲ２は独立して、置換または非置換Ｃ１−Ｃ７アルキル基、もしくは置換または非置換アリール基であり、Ｒ３は、２つ以上のケイ素原子を架橋させる置換または非置換Ｃ１−Ｃ７アルキレン基、アルケニレン基、アルキニレン基、またはアリーレン基であり、ｐおよびｑは０、１、または２であり、但しｐ＋ｑ＝１または２であり、およびｐ＋ｑ＝１の場合、ｔ＝１．５であり、およびｐ＋ｑ＝２の場合、ｔ＝１であり；ｒは０または１であり、但しｒ＝０の場合、ｔ＝１．５であり、およびｒ＝１の場合、ｔ＝１であり；ｍは２以上の整数であり；ｎは０．０１から１００の数であり；
Ｂは：
ＳｉＯ２／（Ｒ４ｖＳｉＯｔ）ｎ
であり、式中、Ｒ４は、ヒドロキシル、フッ素、アルコキシ、アリールオキシ、置換シロキサン、タンパク質、ペプチド、炭水化物、核酸、またはこれらの組み合わせであり、Ｒ４は、Ｒ１、Ｒ２、またはＲ３ではなく；ｖは１または２であり、但し、ｖ＝１の場合、ｔ＝１．５であり、およびｖ＝２の場合、ｔ＝１であり；およびｎは０．０１から１００の数であり；
式ＩＩＩの粒子またはモノリスは、内部領域および外面を有し、および前記粒子またはモノリスの前記内部領域はＡで表される組成を有し；前記粒子またはモノリスの前記外面はＡおよびＢで表される組成を有し、および前記外部の組成は、１から９９％の間のＢの組成と、残分を構成するＡとである）であって、
該多孔質ハイブリッド無機／有機粒子またはモノリスは、有機官能性が内部構造または骨格無機構造と、該ハイブリッド粒子またはモノリス表面との両方と一体となっている無機系構造を含み、該秩序領域は、Ｘ線粉末回折（ＸＲＰＤ）で測定して０．８から２０°スキャン範囲（ｘ軸、２θ単位）に回折ピークを示し、多孔質無機／有機ハイブリッド粒子またはモノリス中に見られる領域であり、
３４Å未満の直径の孔が、該粒子またはモノリスの比表面積の１１０ｍ２／ｇ未満に寄与し、該粒子またはモノリスについて観察される最大回折ピークが、非晶質材料による原子範囲秩序によって得られる２０°〜２３°の回折ピークを排除した２θ位置を示し、
該粒子またはモノリスが０．２５から１．５ｃｍ３／ｇの比孔容積および５０から５００Åの平均孔径を有する、
粒子またはモノリス。
【請求項３】
前記ハイブリッド粒子またはモノリスの前記無機部分が、アルミナ、シリカ、酸化チタンもしくは酸化ジルコニウム、およびセラミック材料からなる群より選択される、請求項１または請求項２に記載のハイブリッド粒子またはモノリス。
【請求項４】
前記ハイブリッド粒子またはモノリスの前記無機部分がシリカである、請求項３に記載のハイブリッド粒子またはモノリス。
【請求項５】
前記粒子またはモノリスの秩序領域の質量％値が１％から１００％の範囲である、請求項１または請求項２に記載のハイブリッド粒子またはモノリス。
【請求項６】
３４Å未満の直径の孔が、粒子またはモノリスの比表面積の１１０ｍ２／ｇ未満から５０ｍ２／ｇ未満に寄与する、請求項１に記載のハイブリッド粒子またはモノリス。
【請求項７】
多孔質無機／有機ハイブリッド粒子である、請求項１または請求項２に記載のハイブリッド粒子またはモノリス。
【請求項８】
モノリスである、請求項１または請求項２に記載のハイブリッド粒子またはモノリス。
【請求項９】
前記モノリスが、合体した多孔質無機／有機ハイブリッド粒子を含む、請求項８に記載のハイブリッド粒子またはモノリス。
【請求項１０】
前記粒子が実質的に球状である、請求項７または請求項９に記載のハイブリッド粒子またはモノリス。
【請求項１１】
前記粒子の比表面積が５０から８００ｍ２／ｇである、請求項７または請求項９に記載のハイブリッド粒子またはモノリス。
【請求項１２】
前記粒子の比表面積が１００から７００ｍ２／ｇである、請求項１１に記載のハイブリッド粒子またはモノリス。
【請求項１３】
前記粒子の比表面積が３００から６００ｍ２／ｇである、請求項１１に記載のハイブリッド粒子またはモノリス。
【請求項１４】
前記粒子の比孔容積が０．７から１．３ｃｍ３／ｇである、請求項１１に記載のハイブリッド粒子またはモノリス。
【請求項１５】
前記粒子の平均孔径が５０から３００Åである、請求項１１に記載のハイブリッド粒子またはモノリス。
【請求項１６】
１１０ｍ２／ｇ未満のミクロ孔表面積を有する多孔質ハイブリッド無機／有機粒子を含む、請求項１に記載のハイブリッド粒子またはモノリス。
【請求項１７】
前記粒子のミクロ孔表面積が１０５ｍ２／ｇ未満である、請求項１６に記載のハイブリッド粒子またはモノリス。
【請求項１８】
前記粒子のミクロ孔表面積が８０ｍ２／ｇ未満である、請求項１６に記載のハイブリッド粒子またはモノリス。
【請求項１９】
前記粒子のミクロ孔表面積が５０ｍ２／ｇ未満である、請求項１６に記載のハイブリッド粒子またはモノリス。
【請求項２０】
有機基表面改質剤、シラノール基表面改質剤、ポリマーコーティング表面改質剤、およびこれらの組み合わせからなる群より選択される表面改質剤によって前記粒子が表面改質されている、請求項７または９に記載のハイブリッド粒子またはモノリス。
【請求項２１】
前記ハイブリッド粒子が、式Ｚａ（Ｒ’）ｂＳｉ−Ｒ（式中、Ｚ＝Ｃｌ、Ｂｒ、Ｉ、Ｃ１−Ｃ５アルコキシ、ジアルキルアミノ、またはトリフルオロメタンスルホネートであり；ａおよびｂはそれぞれ０から３の整数であり、但しａ＋ｂ＝３であり；Ｒ’は、Ｃ１−Ｃ６直鎖、環状、または分岐のアルキル基であり、およびＲは官能基である）を有する表面改質剤で表面改質されている請求項２０に記載のハイブリッド粒子またはモノリス。
【請求項２２】
Ｒ’が、メチル、エチル、プロピル、イソプロピル、ブチル、ｔ−ブチル、ｓｅｃ−ブチル、ペンチル、イソペンチル、ヘキシル、およびシクロヘキシルからなる群より選択される、請求項２１に記載のハイブリッド粒子またはモノリス。
【請求項２３】
官能基Ｒが、アルキル、アルケニル、アルキニル、アリール、シアノ、アミノ、ジオール、ニトロ、エステル、陽イオンまたは陰イオン交換基、もしくは埋め込み極性官能基を有するアルキル基またはアリール基からなる群より選択される、請求項２１に記載のハイブリッド粒子またはモノリス。
【請求項２４】
前記官能基ＲがＣ１−Ｃ３０アルキル基である、請求項２３に記載のハイブリッド粒子またはモノリス。
【請求項２５】
前記官能基ＲがＣ１−Ｃ２０アルキル基である、請求項２３に記載のハイブリッド粒子またはモノリス。
【請求項２６】
前記表面改質剤が、オクチルトリクロロシラン、オクタデシルトリクロロシラン、オクチルジメチルクロロシラン、およびオクタデシルジメチルクロロシランからなる群より選択される、請求項２０に記載のハイブリッド粒子またはモノリス。
【請求項２７】
前記表面改質剤が、オクチルトリクロロシランまたはオクタデシルトリクロロシランである、請求項２６に記載のハイブリッド粒子またはモノリス。
【請求項２８】
ポリマーでコーティングすることによって、前記粒子が表面改質されている、請求項２０に記載のハイブリッド粒子またはモノリス。
【請求項２９】
有機基表面改質剤とシラノール基表面改質剤との組み合わせによって、前記粒子が表面改質されている、請求項２０に記載のハイブリッド粒子またはモノリス。
【請求項３０】
有機基表面改質剤とポリマーコーティング表面改質剤との組み合わせによって、前記粒子が表面改質されている、請求項２０に記載のハイブリッド粒子またはモノリス。
【請求項３１】
シラノール基表面改質剤とポリマーコーティング表面改質剤との組み合わせによって、前記粒子が表面改質されている、請求項２０に記載のハイブリッド粒子またはモノリス。
【請求項３２】
前記粒子が該粒子の有機基と表面改質剤との間に有機共有結合を形成することによって表面改質されている、請求項２０に記載のハイブリッド粒子またはモノリス。
【請求項３３】
有機基表面改質剤と、シラノール基表面改質剤と、およびポリマーコーティング表面改質剤との組み合わせによって、前記粒子が表面改質されている、請求項２０に記載のハイブリッド粒子またはモノリス。
【請求項３４】
シラノール基表面改質剤によって、前記粒子が表面改質されている、請求項２０に記載のハイブリッド粒子またはモノリス。
【請求項３５】
式ＳｉＯ２／（Ｒ２ｐＲ４ｑＳｉＯｔ）ｎまたはＳｉＯ２／［Ｒ６（Ｒ２ｒＳｉＯｔ）ｍ］ｎ（式中、Ｒ２およびＲ４は独立して、場合によりアルキル、アリール、シアノ、アミノ、ヒドロキシル、ジオール、ニトロ、エステル、イオン交換基、または埋め込み極性官能基で置換されていてもよい、Ｃ１−Ｃ１８脂肪族部分または芳香族部分であり、Ｒ６は、２つ以上のケイ素原子を架橋させる置換または非置換Ｃ１−Ｃ１８アルキレン、アルケニレン、アルキニレン、またはアリーレン部分であり、ｐおよびｑは０、１、または２であり、但しｐ＋ｑ＝１または２であり、およびｐ＋ｑ＝１の場合、ｔ＝１．５であり、およびｐ＋ｑ＝２の場合、ｔ＝１であり；ｒは０または１であり、但しｒ＝０の場合、ｔ＝１．５であり、およびｒ＝１の場合、ｔ＝１であり；ｍは２以上の整数であり、およびｎは０．０３から１．５の数である）
を有する、請求項１に記載のハイブリッド粒子またはモノリス。
【請求項３６】
ｎが０．１から１．０の数である、請求項３５に記載のハイブリッド粒子またはモノリス。
【請求項３７】
ｎが０．２から０．５の数である、請求項３５に記載のハイブリッド粒子またはモノリス。
【請求項３８】
Ｂが、無機シロキサン結合を介して１つ以上の繰り返し単位ＢまたはＣに結合しており、および、有機結合を介して１つ以上の繰り返し単位ＡまたはＢに結合している、請求項２に記載の式ＩＩのハイブリッド粒子またはモノリス。
【請求項３９】
０．００３≦ｙ／ｚ≦５０および０．０２≦ｘ／（ｙ＋ｚ）≦２１である、請求項２に記載の式ＩまたはＩＩのハイブリッド粒子またはモノリス。
【請求項４０】
０．０３≦ｙ／ｚ≦５および０．２≦ｘ／（ｙ＋ｚ）≦２．１である、請求項２に記載の式ＩまたはＩＩのハイブリッド粒子またはモノリス。
【請求項４１】
各Ｒが独立して、水素、メチル、エチル、またはプロピルである、請求項２に記載のハイブリッド粒子またはモノリス。
【請求項４２】
前記外面が、５０から９０％の間の組成Ｂと、残分を構成するＡとである組成を有する、請求項２に記載の式ＩＩＩのハイブリッド粒子またはモノリス。
【請求項４３】
前記外面が、７０から９０％の間の組成Ｂと、残分を構成するＡとである組成を有する、請求項４２に記載のハイブリッド粒子またはモノリス。
【請求項４４】
Ｒ４がヒドロキシルである、請求項２に記載の式ＩＩＩのハイブリッド粒子またはモノリス。
【請求項４５】
Ｒ４がフッ素である、請求項２に記載の式ＩＩＩのハイブリッド粒子またはモノリス。
【請求項４６】
Ｒ４がメトキシである、請求項２に記載の式ＩＩＩのハイブリッド粒子またはモノリス。
【請求項４７】
Ｒ４が
−ＯＳｉ（Ｒ５）２−Ｒ６
（式中、Ｒ５は、Ｃ１−Ｃ６直鎖、環状、または分岐のアルキル、アリール、またはアルコキシ基、ヒドロキシル基、もしくはシロキサン基であり、およびＲ６は、Ｃ１−Ｃ３６直鎖、環状、または分岐のアルキル、アリール、またはアルコキシ基であり、Ｒ６は、非置換であるか、もしくは、ハロゲン、シアノ、アミノ、ジオール、ニトロ、エーテル、カルボニル、エポキシド、スルホニル、陽イオン交換体、陰イオン交換体、カルバメート、アミド、尿素、ペプチド、タンパク質、炭水化物、核酸官能基、およびこれらの組み合わせからなる群より選択される１つ以上の部分で置換されている）である、請求項２に記載の式ＩＩＩのハイブリッド粒子またはモノリス。
【請求項４８】
Ｒ６がＣ１８基である、請求項４７に記載のハイブリッド粒子またはモノリス。
【請求項４９】
Ｒ６がシアノプロピル基である、請求項４７に記載のハイブリッド粒子またはモノリス。
【請求項５０】
請求項１から４９のいずれか一項に記載の多孔質ハイブリッド無機／有機ハイブリッド粒子またはモノリスを含む、分離装置。
【請求項５１】
クロマトグラフィーカラム、薄層クロマトグラフィー（ＴＬＣ）プレート、濾過膜、マイクロタイタープレート、捕捉樹脂、および固相有機合成担体からなる群より選択される、請求項５０に記載の分離装置。
【請求項５２】
ａ）多孔質ハイブリッド無機／有機粒子またはモノリスを受け入れる円筒形内部を有するカラムと、および
ｂ）請求項１から４９のいずれか一項に記載の多孔質ハイブリッド無機／有機粒子またはモノリスを含むクロマトグラフィー層とを含む、クロマトグラフィーカラム。
【請求項５３】
工程（ｂ）の再構成が、多孔質ハイブリッド無機／有機粒子またはモノリスを、塩基と孔再構成テンプレートとを含有する水溶液と混合する工程と、および秩序領域を形成するのに十分な温度および時間、前記混合物を加熱する工程とを含む、請求項１に記載のハイブリッド粒子またはモノリス。
【請求項５４】
工程（ｂ）の接触が、前記多孔質ハイブリッド無機／有機粒子またはモノリスの孔に、孔再構成テンプレートを充填する工程を含む、請求項１に記載のハイブリッド粒子またはモノリス。
【請求項５５】
孔再構成テンプレートが１種類以上の孔テンプレート分子を含む、請求項１に記載のハイブリッド粒子またはモノリス。
【請求項５６】
孔再構成テンプレートがテンプレート膨潤分子をさらに含む、請求項５５に記載のハイブリッド粒子またはモノリス。
【請求項５７】
多孔質ハイブリッド無機／有機粒子またはモノリスを得る工程をさらに含む、請求項１に記載のハイブリッド粒子またはモノリス。
【請求項５８】
多孔質ハイブリッド無機／有機粒子またはモノリスを調製する工程をさらに含む、請求項１に記載のハイブリッド粒子またはモノリス。
【請求項５９】
工程（ｃ）の除去が、工程（ｂ）の生成物を酸洗浄することによって孔再構成テンプレートを抽出することで、孔再構成テンプレートを除去する工程を含む、請求項１に記載のハイブリッド粒子またはモノリス。
【請求項６０】
酸洗浄液が、水溶性溶媒と酸との混合物を含む、請求項５９に記載のハイブリッド粒子またはモノリス。
【請求項６１】
水溶性溶媒が、アセトニトリル、テトラヒドロフラン、ジメチルスルホキシド、ジメチルホルムアミド、メタノール、エタノール、およびイソプロパノールからなる群より選択される、請求項６０に記載のハイブリッド粒子またはモノリス。
【請求項６２】
酸が、塩酸、臭化水素酸、フッ化水素酸、ヨウ化水素酸、硫酸、ギ酸、酢酸、トリクロロ酢酸、トリフルオロ酢酸、およびリン酸からなる群より選択される、請求項６０に記載のハイブリッド粒子またはモノリス。
【請求項６３】
酸洗浄液が、エタノールと濃塩酸との混合物を含む、請求項６０に記載のハイブリッド粒子またはモノリス。
【請求項６４】
工程（ｃ）の除去が、前記工程（ｂ）の生成物の熱処理によって前記孔再構成テンプレートを除去することを含む、請求項１に記載のハイブリッド粒子またはモノリス。
【請求項６５】
工程（ｂ）の生成物が、空気、窒素、およびアルゴンからなる群より選択されるガスの動的パージ下で、１００℃で４０分間加熱され、続いて、２５０から３００℃で１６時間加熱される、請求項６４に記載のハイブリッド粒子またはモノリス。
【請求項６６】
工程（ｃ）の除去が、工程（ｂ）の生成物をオゾンで処理することによって孔再構成テンプレートを除去する工程を含む、請求項１に記載のハイブリッド粒子またはモノリス。
【請求項６７】
多孔質ハイブリッド無機／有機粒子またはモノリスの孔構造を改質することによって、クロマトグラフィー的に向上した孔形状を形成し、これによって、秩序領域を含み、クロマトグラフィー的に向上した孔形状を有する多孔質ハイブリッド無機／有機粒子またはモノリスを調製する工程をさらに含む、請求項１に記載のハイブリッド粒子またはモノリス。
【請求項６８】
多孔質ハイブリッド無機／有機粒子またはモノリスの孔構造が、工程（ｂ）の前に改質される、請求項６７に記載のハイブリッド粒子またはモノリス。
【請求項６９】
多孔質ハイブリッド無機／有機粒子またはモノリスの孔構造が、工程（ｃ）の後で改質される、請求項６７に記載のハイブリッド粒子またはモノリス。
【請求項７０】
多孔質ハイブリッド無機／有機粒子またはモノリスの表面改質を行う工程をさらに含む、請求項６８に記載のハイブリッド粒子またはモノリス。
【請求項７１】
前記表面改質が、工程（ｂ）の前に行われる、請求項７０に記載のハイブリッド粒子またはモノリス。
【請求項７２】
多孔質ハイブリッド無機／有機粒子またはモノリスの孔構造が、熱水処理によって改質される、請求項６７に記載のハイブリッド粒子またはモノリス。
【請求項７３】
孔テンプレート分子がイオン性または非イオン性である、請求項５５に記載のハイブリッド粒子またはモノリス。
【請求項７４】
孔テンプレート分子がイオン性であり、および陽イオン性、陰イオン性、および両性イオン性の分子からなる群より選択される、請求項７３に記載のハイブリッド粒子またはモノリス。
【請求項７５】
孔テンプレート分子が、ビス（２−エチルヘキシル）スルホコハク酸ナトリウム、グリコール酸エトキシレート４−ｔｅｒｔ−ブチルフェニルエーテル、グリコール酸エトキシレートラウリルエーテル、グリコール酸エトキシレート４−ノニルフェニルエーテル、グリコール酸エトキシレートオクチルエーテル、グリコール酸エトキシレートオレイルエーテル、ドデシル硫酸ナトリウム（ＳＤＳ）、またはトリス（ヒドロキシメチル）アミノメタンラウリルサルフェート（ＴＤＳ）、ラウリル硫酸アンモニウム、塩化セチルトリメチルアンモニウム、臭化セチルトリメチルアンモニウム、または塩化トリメチルステアリルアンモニウムである、請求項７４に記載のハイブリッド粒子またはモノリス。
【請求項７６】
孔テンプレート分子が非イオン性であり、およびポリマー、ブロックコポリマー、およびポリ（エチレンオキシド）−アルキルエーテルからなる群より選択される、請求項７３に記載のハイブリッド粒子またはモノリス。
【請求項７７】
孔テンプレート分子が、ポリ（エチレンオキシド）−ポリ（プロピレンオキシド）−ポリ（エチレンオキシド）、プルロニック（登録商標）Ｐ１２３、プルロニック（登録商標）Ｐ６４、プルロニックＰ１０５、ブリジ（登録商標）７６、またはブリジ（登録商標）３０である、請求項７６に記載のハイブリッド粒子またはモノリス。
【請求項７８】
テンプレート膨潤分子が、ベンゼン、トルエン、シクロヘキサン、シクロヘキサノール、ドデカノール、クロロドデカン、１，３，５−トリメチルベンゼン、および１，３，５−トリイソプロピルベンゼンからなる群より選択される、請求項５６に記載のハイブリッド粒子またはモノリス。
【請求項７９】
テンプレート膨潤分子が１，３，５−トリメチルベンゼンまたは１，３，５−トリイソプロピルベンゼンである、請求項７８に記載のハイブリッド粒子またはモノリス。
【請求項８０】
多孔質ハイブリッド無機／有機粒子またはモノリスが多孔質ハイブリッド無機／有機粒子である、請求項１に記載のハイブリッド粒子またはモノリス。
【請求項８１】
多孔質ハイブリッド無機／有機粒子またはモノリスがモノリスである、請求項１に記載のハイブリッド粒子またはモノリス。
【請求項８２】
モノリスが、合体した多孔質ハイブリッド無機／有機粒子を含む、請求項８１に記載のハイブリッド粒子またはモノリス。
【請求項８３】
塩基が、水酸化アンモニウム、Ｉ族およびＩＩ族金属の水酸化物塩、Ｉ族金属の炭酸塩および炭酸水素塩、もしくはＩ族およびＩＩ族金属のアルコキシド塩、ならびにアルキルアミンからなる群より選択される、請求項５３に記載のハイブリッド粒子またはモノリス。
【請求項８４】
塩基が水酸化ナトリウムである、請求項８３に記載のハイブリッド粒子またはモノリス。